(57)【要約】【課題】配線盤内における収容性に優れたスプリッタモジュールを提供する。【解決手段】スプリッタモジュール１は、光信号を分岐させる光スプリッタが収容されたモジュール筺体２と、入力側アダプタソケット３と、出力側アダプタソケット４ａ〜４ｄとを備えている。モジュール筺体２は、長手方向の一側面に沿って設けられ、山形状の傾斜面６ａ〜６ｊから構成される複数の突設部５ａ〜５ｅを有している。入力側アダプタソケット３及び出力側アダプタソケット４ａ〜４ｄは、突設部５ａ〜５ｂの傾斜面６ａ，６ｃ，６ｅ，６ｇ，６ｉの一端側において、入力側ソケット部１０及び出力側ソケット部１３ａ〜１３ｄが同じ方向を向くように取り付けられている。【選択図】  図１
2010122531.tif 000002
【特許請求の範囲】
【請求項１】
入力側光ファイバ心線から入射した光信号を分岐させて複数の出力側ファイバ心線に出射する光スプリッタを有するスプリッタモジュールにおいて、
前記光スプリッタを収容するモジュール筺体と、
前記モジュール筺体に取り付けられ、前記複数の出力側光ファイバ心線と接続される複数の出力側光ソケットと、
を備え、
前記モジュール筺体は、長手方向の一側面に沿って設けられ、山形状の傾斜面から構成される複数の突設部を有し、
前記複数の出力側光ソケットは、前記突設部の前記傾斜面において、挿入口が同じ方向を向くように取り付けられていることを特徴とするスプリッタモジュール。
【請求項２】
前記モジュール筺体に取り付けられ、前記入力側光ファイバ心線と接続される入力側光ソケットを更に備え、
前記入力側光ソケットは、前記モジュール筺体の一端部に設けられた前記突設部の前記傾斜面において、前記出力側光ソケットの前記挿入口と同じ方向を挿入口が向くように取り付けられていることを特徴とする請求項１記載のスプリッタモジュール。
【請求項３】
前記出力側光ソケット及び前記入力側光ソケットは、前記モジュール筺体の幅方向の一側部分に取り付けられていることを特徴とする請求項１または２記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
上記従来技術のようなスプリッタモジュールは、既築の建物内の配線盤内に備え付けられることが多い。この場合、配線盤内には既に他の機器やケーブル等が収容されているため、スプリッタモジュールの収容スペースの確保が困難である。
【０００４】
本発明の目的は、配線盤内における収容性に優れたスプリッタモジュールを提供することである。
【課題を解決するための手段】
【０００５】
本発明は、入力側光ファイバ心線から入射した光信号を分岐させて複数の出力側ファイバ心線に出射する光スプリッタを有するスプリッタモジュールにおいて、光スプリッタを収容するモジュール筺体と、モジュール筺体に取り付けられ、複数の出力側光ファイバ心線と接続される複数の出力側光ソケットと、を備え、モジュール筺体は、長手方向の一側面に沿って設けられ、山形状の傾斜面から構成される複数の突設部を有し、複数の出力側光ソケットは、突設部の傾斜面において、挿入口が同じ方向を向くように取り付けられていることを特徴とするものである。
【０００６】
光ファイバ心線を内蔵した光コードは、その材質の特性上、曲率が制限される。そのため、例えば配線盤内に設けられたスプリッタモジュールの出力側光ソケットに対して、光コードに装着された光コネクタプラグを水平方向から挿入する場合には、光コードの曲率が大きくならないように、出力側光ソケットの挿入口側にある程度のスペースを確保する必要がある。これに対し、本発明のスプリッタモジュールでは、モジュール筺体の長手方向の一側面に山形状の傾斜面から構成される複数の突設部を設け、これらの突設部の傾斜面において各出力側光ソケットを挿入口が同じ方向を向くように取り付けている。これにより、例えば出力側光ソケットが取り付けられた傾斜面が重力方向側を向くように配線盤内にスプリッタモジュールを設置することで、出力側光ソケットが水平方向に対して斜めに配置されることになるので、光コードに装着された光コネクタプラグを水平方向から出力側ソケットに挿入する場合に比べて、光コードの曲げが低減される。そのため、出力側光ソケットの挿入口側にスペースをほとんど必要としない。また、各出力側光ソケットがモジュール筺体の長手方向の一側面に沿って配置されているので、モジュール筺体の幅を十分に小さくすることができ、スプリッタモジュールを狭隘な隙間等に収容することができる。従って、配線盤内におけるスプリッタモジュールの収容性を優れたものとすることができる。
【０００７】
好ましくは、モジュール筺体に取り付けられ、入力側光ファイバ心線と接続される入力側光ソケットを更に備え、入力側光ソケットは、モジュール筺体の一端部に設けられた突設部の傾斜面において、出力側光ソケットの挿入口と同じ方向を挿入口が向くように取り付けられている。入力側光ソケットへの光コードの抜き差しは、出力側光ソケットへの光コードの抜き差しに比べて頻度が低い。そこで、本発明のスプリッタモジュールでは、モジュール筺体の一端部に設けられた突設部の傾斜面に入力側光ソケットを出力側光ソケットの挿入口と同じ方向を挿入口が向くように取り付ける。これにより、例えば入力側光ソケットの挿入口が下側を向くように配線盤内にスプリッタモジュールを配置することで、出力側光ソケットへの光コードの抜き差し時に、入力光ソケットに挿入された光コードが邪魔になることがない。従って、配線盤内における光コードの取り回しが行い易くなる。
【０００８】
また、好ましくは、出力側光ソケット及び入力側光ソケットは、モジュール筺体の幅方向の一側部分に取り付けられている。本発明のスプリッタモジュールでは、例えばモジュール筺体の一側面が配線盤内の壁に固定される場合に、モジュール筺体における出力側光ソケット及び入力側光ソケットの反対側の側面を壁に固定することで、光コードに装着された光コネクタプラグを出力側光ソケット及び入力側光ソケットに挿入する際に、壁と光コネクタプラグとの間に隙間が形成されることになる。従って、作業者は、指で光コネクタプラグを掴み易くなるため、光コネクタプラグの抜き差しを容易に行うことができる。
【発明の効果】
【０００９】
本発明によれば、配線盤内におけるスプリッタモジュールの収容性を優れたものとすることができる。これにより、無理な光コードの取り回しや曲げを回避でき、光コードの信頼性の低下を回避することが可能となる。
【発明を実施するための最良の形態】
【００１０】
以下、本発明に係るスプリッタモジュールの好適な実施形態について図面を参照して詳細に説明する。
【００１１】
図１及び図２は、本発明に係るスプリッタモジュールの一実施形態の外観を示す斜視図である。各図において、本実施形態のスプリッタモジュール１は、モジュール筺体２と、このモジュール筺体２に取り付けられた入力側アダプタソケット３及び出力側アダプタソケット４ａ〜４ｄとを備えている。
【００１２】
モジュール筺体２は、複数（ここでは５個）の突設部５ａ〜５ｅを有している。この突設部５ａ〜５ｅは、モジュール筺体２の長手方向の一側面に沿って設けられている。突設部５ａは山形状の傾斜面６ａ，６ｂから構成され、突設部５ｂは山形状の傾斜面６ｃ，６ｄから構成され、突設部５ｃは山形状の傾斜面６ｅ，６ｆから構成され、突設部５ｄは山形状の傾斜面６ｇ，６ｈから構成され、突設部５ｅは山形状の２つの傾斜面６ｉ，６ｊから構成されている。
【００１３】
傾斜面６ａ，６ｃ，６ｅ，６ｇ，６ｉの幅（図示左右方向）寸法は、入力側アダプタソケット３及び出力側アダプタソケット４ａ〜４ｄの幅寸法と略同等の寸法となっている。また、傾斜面６ｂ，６ｄ，６ｆ，６ｈ，６ｊの幅寸法は、傾斜面６ａ，６ｃ，６ｅ，６ｇ，６ｉの幅寸法の約２倍程度となっている。なお、傾斜面６ａ，６ｂの傾斜方向の長さ寸法は、傾斜面６ｃ〜６ｉの長さ寸法よりも小さくなっている。従って、突設部５ａは、他の突設部５ｂ〜５ｅよりも低くなっている。
【００１４】
入力側アダプタソケット３は、モジュール筺体２の一端部（前端部）に設けられた突設部５ａの一方の傾斜面６ａの一側（図示右側）部分に取り付けられている。入力側アダプタソケット３は、光ファイバ心線を内蔵した入力側光コード８の端部に装着された入力側光コネクタプラグ９と嵌合する入力側ソケット部１０を有し、光ファイバ心線同士を接続するコネクタ部品である。入力側アダプタソケット３としては、例えばＳＣ型アダプタソケットが用いられる。
【００１５】
出力側アダプタソケット４ａ〜４ｄは、突設部５ｂ〜５ｅの一方の各傾斜面６ｃ，６ｅ，６ｇ，６ｉの一側（図示右側）部分にそれぞれ取り付けられている。出力側アダプタソケット４ａ〜４ｄは、光ファイバ心線を内蔵した出力側光コード１１の端部に装着された出力側光コネクタプラグ１２と嵌合する２連の出力側ソケット部１３ａ〜１３ｄを有している。出力側アダプタソケット４ａ〜４ｄは、出力側ソケット部１３ａ〜１３ｄが縦に２連となるようにモジュール筺体２に取り付けられている。出力側アダプタソケット４ａ〜４ｄとしては、入力側アダプタソケット３と同様に例えばＳＣ型アダプタソケットが用いられる。
【００１６】
以上のように入力側アダプタソケット３及び出力側アダプタソケット４ａ〜４ｄをモジュール筺体２に取り付けることにより、入力側ソケット部１０及び出力側ソケット部１３ａ〜１３ｄは、挿入口が同じ方向を向くと共に、一列に配置されることになる。
【００１７】
図３は、スプリッタモジュール１の分解斜視図である。図３に示すように、モジュール筺体２は、カバー部１４と、収容部１５とから構成されている。カバー部１４は、板状に形成されており、収容部１５と嵌合することにより固定可能な構成となっている。
【００１８】
収容部１５は、側板部１６と、底板部１７と、上記の突設部５ａ〜５ｅとから構成されている。収容部１５には、長手方向に沿って所定の間隔をもって円柱状の複数（ここでは５つ）のガイド突部１８ａ〜１８ｅが設けられている。このガイド突部１８ａ〜１８ｅは、図４に示すように、収容部１５内に収容される入力側光ファイバ心線１９及び出力側光ファイバ心線２０を巻き付けて保持するものである。出力側アダプタソケット４ａの下側に位置するガイド突部１８ｂには、出力側アダプタソケット４ａに接続される出力側光ファイバ心線２０との干渉を避けると共に、当該出力側光ファイバ心線２０を通すために、溝部２１が形成されている。このように、入力側光ファイバ心線１９及び出力側光ファイバ心線２０をガイド突部１８ａ〜１８ｅの外側に沿ってガイドすることにより、光ファイバ心線１９，２０の不要な曲げ等を回避することができ、光ファイバ心線１９，２０の信頼性の低下を防止することができる。
【００１９】
また、底板部１７上には、光信号を複数に分岐（ここでは８分岐）させる光スプリッタ２２を配置するためのスプリッタ配置部２３が形成されている。光スプリッタ２２の一端には、入力側光ファイバ心線１９が接続され、光スプリッタ２２の他端には、出力側光ファイバ心線２０が接続されている。これにより、入力側光ファイバ心線１９から入射した光信号は、光スプリッタ２２により分岐されて各出力側光ファイバ心線２０に出射されるようになる。
【００２０】
入力側光ファイバ心線１９の先端部には、入力側光コネクタプラグ２４が装着され、この入力側光コネクタプラグ２４は、入力側アダプタソケット３に接続されている。各出力側光ファイバ心線２０の先端部には、出力側光コネクタプラグ２５ａ〜２５ｄが装着され、これらの出力側光コネクタプラグ２５ａ〜２５ｄは、出力側アダプタソケット４ａ〜４ｄにそれぞれ接続されている。
【００２１】
図３に戻って、突設部５ａ〜５ｅには、傾斜面６ａ，６ｃ，６ｅ，６ｇ，６ｉの一側から収容部１５の内側に入り込んだ固定部２６ａ〜２６ｅがそれぞれ設けられている。入力側アダプタソケット３及び出力側アダプタソケット４ａ〜４ｄは、カバー部１４及び固定部２６ａ〜２６ｅに挟まれることにより保持固定されている。
【００２２】
以上のように構成されたスプリッタモジュール１は、集合住宅等の建物内の壁に設置された主配線盤や分電盤等（以下、まとめて配線盤）に備え付けられる。具体的には、例えば配線盤内の所定のスペースにスプリッタモジュール１を取り付け、入力側光コード８に装着された入力側光コネクタプラグ９を入力側アダプタソケット３の入力側ソケット部１０に嵌合し、複数本の出力側光コード１１に装着された出力側光コネクタプラグ１２を出力側アダプタソケット４ａ〜４ｄの各出力側ソケット部１３ａ〜１３ｄにそれぞれ嵌合する。
【００２３】
このとき、配線盤内に他の機器やケーブル等が数多く収容されている場合には、スプリッタモジュールを取り付けるための収容スペースの確保が難しく、これに伴ってスプリッタモジュール１の取り扱いや光コードの取り回し（配線）が困難になることがある。
【００２４】
しかし、本実施形態のスプリッタモジュール１は、入力側アダプタソケット３及び出力側アダプタソケット４ａ〜４ｄがモジュール筺体２の長手方向の一側面に沿って一列に配置されている。このような構成とすることで、モジュール筺体２の幅を十分に小さくすることができるので、スプリッタモジュール１を配電盤内の狭隘な隙間等に収容することができる。
【００２５】
ところで、上記のような狭隘な隙間に入力側アダプタソケット３及び出力側アダプタソケット４ａ〜４ｄが手前側となるようにスプリッタモジュール１を配置した場合に、例えば配電盤内に奥行きが少ない場合には、入力側アダプタソケット３及び出力側アダプタソケット４ａ〜４ｄにコネクタ接続される入力側光コード８又は各出力側光コード１１が例えば扉に干渉することがある。この場合、光ファイバ心線の特性上、無理に各光コード８，１１を曲げることができず、配電盤内へのスプリッタモジュール１の収容が困難になる。
【００２６】
これに対し、本実施形態のスプリッタモジュール１は、モジュール筺体２に山形状の複数の突設部５ａ〜５ｅを設け、この突設部５ａ〜５ｅの各傾斜面６ａ，６ｃ，６ｅ，６ｇ，６ｉに対して入力側アダプタソケット３及び出力側アダプタソケット４ａ〜４ｄを取り付けている。そのため、例えば出力側光ソケット４ａ〜４ｄが下側を向くように配線盤内にスプリッタモジュール１を設置することで、出力側アダプタソケット４ａ〜４ｄが水平方向に対して斜め下側向きに配置されることになる。これにより、例えば出力側光コード１１に装着された光コネクタプラグ１２を水平方向から出力側アダプタソケット４ａ〜４ｄに挿入する場合に比べて、出力側光コード１１の曲げが低減されるため、出力側アダプタソケット４ａ〜４ｄの挿入口側に広いスペースが必要なくなる。これにより、奥行きの少ない配電盤内であっても、入力側アダプタソケット３及び出力側アダプタソケット４ａ〜４ｄにコネクタ接続される入力側光コード８及び各出力側光コード１１が例えば扉に干渉することが防止される。また、光コード８，１１の曲げが低減されることにより、光ファイバ心線の信頼性を確保することができる。
【００２７】
また、図５に示すように、例えばスプリッタモジュール１の一側面（アダプタソケット３，４ａ〜４ｄの反対側の側面）が配線盤内の壁２７にマグネット等で固定されている場合に、入力側光コネクタプラグ９又は出力側光コネクタプラグ１２の抜き差しを行う際には、各光コネクタプラグ９，１２の左右の側面を作業者が指で挟むことになる。このとき、壁２７と各光コネクタプラグ９，１２との間には、傾斜面６ａ〜６ｊによって作業者の指が入る程度の隙間が設けられることになる。そのため、作業者は各光コネクタプラグ９，１２を確実に掴むことができ、抜き差しを容易に行うことができる。
【００２８】
また、入力側アダプタソケット３がモジュール筺体２の一端部に設けられた突設部５ａに取り付けられている。一般的に、入力側アダプタソケット３への入力側光コード８の抜き差しは、出力側アダプタソケット４ａ〜４ｄへの出力側光コード１１の抜き差しに比べて頻度が低い。そこで、上記のような構成にすることにより、入力側アダプタソケット３が下側になるように配線盤内にスプリッタモジュール１を配置することができる。この場合、出力側アダプタソケット４ａ〜４ｄへの出力側光コネクタ１２の抜き差し時において、入力側アダプタソケット３に接続された入力側光コード８が邪魔になることが少ない。従って、配線盤内における光コード８，１１の取り回しが行い易くなる。
【００２９】
なお、本発明は、上記実施形態に限定されるものではない。例えば、上記実施形態では、傾斜面６ａ，６ｃ，６ｅ，６ｇ，６ｉの一側に入力側アダプタソケット３及び出力側アダプタソケット４ａ〜４ｂを配置する構成としたが、各アダプタソケット３，４ａ〜４ｄの幅と略同等の幅を有する傾斜面６ａ〜６ｊに取り付ける構成としてもよい。この場合、更にモジュール筺体２の幅を小さくすることが可能となる。また、このような構成を採用した場合には、以下のような構成としてもよい。
【００３０】
図６は、変形例に係るスプリッタモジュール１Ａの外観を示す斜視図であり、図７は、図６に置けるＶＩＩ−ＶＩＩ線断面図である。図中、上記実施形態と同一または同等の部材には同じ符号を付してある。各図に示すように、スプリッタモジュール１Ａにおける傾斜面６ａ〜６ｊの幅は、各アダプタソケット３，４ａ〜４ｄの幅と略同等となっている。この場合、スプリッタモジュール１Ａの側面が例えば壁と接するようにスプリッタモジュール１Ａを配置した場合には、壁が邪魔となって各光コネクタプラグ９，１２の抜き差しが困難となり、作業効率の低下が生じる。そこで、変形例に係るスプリッタモジュール１Ａは、複数（ここでは３つ）の可動部材２９ａ〜２９ｃを備えている。
【００３１】
可動部材２９ａ〜２９ｃは、円柱状の部材であり、モジュール筺体２を貫通するように例えばガイド突部１８ｂ，１８ｃ，１８ｅの部分に設けられている。この可動部材２９ａ〜２９ｃの両端には、モジュール筺体２からの抜けを防止するためのストッパ３０ａ〜３０ｃが設けられている。図７に示すように、可動部材２９ａ〜２９ｃは、モジュール筺体２の左右方向に移動可能であり、モジュール筺体２の一側面側に突出した状態で固定可能である。
【００３２】
以上のような可動部材２９ａ〜２９ｃを設けることにより、例えばスプリッタモジュール１Ａが壁際に配置された場合、光コネクタプラグ９，１２の抜き差しする際に、可動部材２９ａ〜２９ｃによりスプリッタモジュール１Ａと壁との間に隙間が形成される。これにより、各光コネクタプラグ９，１２の抜き挿しが容易になり、作業性の向上を図ることができる。また、可動部材２９ａ〜２９ｃがモジュール筺体２の左右方向に移動可能であるため、スプリッタモジュール１Ａに対して壁が左右どちらの方向であっても隙間を確実に形成することができる。
【図面の簡単な説明】
【００３３】
【図１】本発明に係るスプリッタモジュールの一実施形態の外観を示す斜視図である。
【図２】図１に示したスプリッタモジュールのアダプタソケットに光コードの先端に設けられた光コネクタプラグが挿入された外観を示す斜視図である。
【図３】図２に示したスプリッタモジュールの分解斜視図である。
【図４】図２に示したスプリッタモジュールの断面図である。
【図５】図２に示したスプリッタモジュールが配電盤に取り付けられる一例を示す斜視図である。
【図６】図１に示したスプリッタモジュールの変形例の外観を示す斜視図である。
【図７】図６におけるＶＩＩ−ＶＩＩ線断面図である。
【符号の説明】
【００３４】
１…スプリッタモジュール、２…モジュール筺体、３…入力側アダプタソケット（入力側光ソケット）、４ａ〜４ｄ…出力側アダプタソケット（出力側光ソケット）、５ａ〜５ｅ…突設部、６ａ〜６ｊ…傾斜面、１０…入力側ソケット部（挿入口）、１３ａ〜１３ｄ…出力側ソケット部（挿入口）、１９…入力側光ファイバ心線、２０…出力側光ファイバ心線、２２…光スプリッタ。
【図１】
2010122531.tif 000003
【図２】
2010122531.tif 000004
【図３】
2010122531.tif 000005
【図４】
2010122531.tif 000006
【図５】
2010122531.tif 000007
【図６】
2010122531.tif 000008
【図７】
2010122531.tif 000009